【手続補正書】
【提出日】平成21年6月26日(2009.6.26)
【手続補正１】
【補正対象書類名】特許請求の範囲
【補正対象項目名】全文
【補正方法】変更
【補正の内容】
【特許請求の範囲】
【請求項１】
エチレンカーボネート、プロピレンカーボネート、ブチレンカーボネート、γ−ブチロラクトン、γ−バレロラクトンのうちから選ばれた少なくとも１種よりなる第１の溶媒と、
ジエチルカーボネート、ジメチルカーボネート、エチルメチルカーボネートのうちから選ばれた少なくとも１種よりなる第２の溶媒と、
４，５−ジフルオロ−１，３−ジオキソラン−２−オンと、
を含み、
溶媒全体に対して、上記第１の溶媒の体積は、５体積％以上４０体積％以下であり、
上記４，５−ジフルオロ−１，３−ジオキソラン−２−オンの体積は、０．０５体積％以上２０体積％以下である電解質。
【請求項２】
上記４，５−ジフルオロ−１，３−ジオキソラン−２−オンは、トランス体である
請求項１記載の電解質。
【請求項３】
さらに不飽和結合を有する環状炭酸エステル化合物を含む
請求項１記載の電解質。
【請求項４】
エチレンカーボネートよりなる第１の溶媒と、
ジエチルカーボネート、エチルメチルカーボネートのうちの少なくとも１種よりなる第２の溶媒と、
４，５−ジフルオロ−１，３−ジオキソラン−２−オンと、
を含み、
溶媒全体に対して、上記第１の溶媒の体積は、５体積％以上３０体積％以下であり、
上記４，５−ジフルオロ−１，３−ジオキソラン−２−オンの体積は、０．０５体積％以上１０体積％以下である電解質。
【請求項５】
さらに、上記第１の溶媒として、プロピレンカーボネート、ブチレンカーボネート、γ−ブチロラクトン、γ−バレロラクトンのうちの少なくとも１種を含む
請求項４記載の電解質。
【請求項６】
上記４，５−ジフルオロ−１，３−ジオキソラン−２−オンは、トランス体である
請求項４記載の電解質。
【請求項７】
さらに不飽和結合を有する環状炭酸エステル化合物を含む
請求項４記載の電解質。
【請求項８】
さらにスルホン構造を有する化合物を含む
請求項４記載の電解質。
【請求項９】
上記スルホン構造を有する化合物は、プロパンスルトン、プロペンスルトン、ジビニルスルホンよりなる群から選ばれた少なくとも１種である
請求項８記載の電解質。
【請求項１０】
正極および負極と、電解質と、を備えた電池であって、
上記電解質は、
エチレンカーボネート、プロピレンカーボネート、ブチレンカーボネート、γ−ブチロラクトン、γ−バレロラクトンのうちから選ばれた少なくとも１種よりなる第１の溶媒と、
ジエチルカーボネート、ジメチルカーボネート、エチルメチルカーボネートのうちから選ばれた少なくとも１種よりなる第２の溶媒と、
４，５−ジフルオロ−１，３−ジオキソラン−２−オンと、
を含み、
溶媒全体に対して、上記第１の溶媒の体積は、５体積％以上４０体積％以下であり、
上記４，５−ジフルオロ−１，３−ジオキソラン−２−オンの体積は、０．０５体積％以上２０体積％以下である電池。
【請求項１１】
上記４，５−ジフルオロ−１，３−ジオキソラン−２−オンは、トランス体である
請求項１０記載の電池。
【請求項１２】
上記電解質は、
さらに不飽和結合を有する環状炭酸エステル化合物を含む
請求項１０記載の電池。
【請求項１３】
正極および負極と、電解質と、を備え、
上記電解質は、
エチレンカーボネートよりなる第１の溶媒と、
ジエチルカーボネート、エチルメチルカーボネートのうちの少なくとも１種よりなる第２の溶媒と、
４，５−ジフルオロ−１，３−ジオキソラン−２−オンと、
を含み、
溶媒全体に対して、上記第１の溶媒の体積は、５体積％以上３０体積％以下であり、
上記４，５−ジフルオロ−１，３−ジオキソラン−２−オンの体積は、０．０５体積％以上１０体積％以下である電池。
【請求項１４】
上記電解質は、
上記第１の溶媒として、さらにプロピレンカーボネート、ブチレンカーボネート、γ−ブチロラクトン、γ−バレロラクトンのうちの少なくとも１種を含む
請求項１３記載の電池。
【請求項１５】
上記４，５−ジフルオロ−１，３−ジオキソラン−２−オンは、トランス体である
請求項１３記載の電池。
【請求項１６】
上記電解質は、
さらに不飽和結合を有する環状炭酸エステル化合物を含む
請求項１３記載の電池。
【請求項１７】
上記電解質は、
さらにスルホン構造を有する化合物を含む
請求項１３記載の電池。
【請求項１８】
上記スルホン構造を有する化合物は、プロパンスルトン、プロペンスルトン、ジビニルスルホンよりなる群から選ばれた少なくとも１種である
請求項１７記載の電池。
【請求項１９】
上記電解質は、
さらにＬｉＢＦ4を含む
請求項１３記載の電池。
【手続補正２】
【補正対象書類名】明細書
【補正対象項目名】発明の名称
【補正方法】変更
【補正の内容】
【発明の名称】電解質およびこれを用いた電池
【手続補正３】
【補正対象書類名】明細書
【補正対象項目名】０００１
【補正方法】変更
【補正の内容】
【０００１】
この発明は、電解質およびこれを用いた電池に関し、さらに詳しくは、非水溶媒と、電解質塩とを備える非水電解質およびこれを用いた非水電解質電池に関する。
【手続補正４】
【補正対象書類名】明細書
【補正対象項目名】０００７
【補正方法】変更
【補正の内容】
【０００７】
さらに、電池では、電解液の分解反応などにより発生する気体によって、電池膨れが生じる問題があった。
【手続補正５】
【補正対象書類名】明細書
【補正対象項目名】０００９
【補正方法】変更
【補正の内容】
【０００９】
また、この発明の他の目的としては、高温保存時の電池膨れを抑制できる電解質およびこれを用いた電池を提供することにある。
【手続補正６】
【補正対象書類名】明細書
【補正対象項目名】００１０
【補正方法】変更
【補正の内容】
【００１０】
上述した課題を解決するために、第１の発明は、
エチレンカーボネート、プロピレンカーボネート、ブチレンカーボネート、γ−ブチロラクトン、γ−バレロラクトンのうちから選ばれた少なくとも１種よりなる第１の溶媒と、
ジエチルカーボネート、ジメチルカーボネート、エチルメチルカーボネートのうちから選ばれた少なくとも１種よりなる第２の溶媒と、
４，５−ジフルオロ−１，３−ジオキソラン−２−オンと、
を含み、
溶媒全体に対して、第１の溶媒の体積は、５体積％以上４０体積％以下であり、
４，５−ジフルオロ−１，３−ジオキソラン−２−オンの体積は、０．０５体積％以上２０体積％以下である電解質である。
【手続補正７】
【補正対象書類名】明細書
【補正対象項目名】００１１
【補正方法】変更
【補正の内容】
【００１１】
第２の発明は、
エチレンカーボネートよりなる第１の溶媒と、
ジエチルカーボネート、エチルメチルカーボネートのうちの少なくとも１種よりなる第２の溶媒と、
４，５−ジフルオロ−１，３−ジオキソラン−２−オンと、
を含み、
溶媒全体に対して、第１の溶媒の体積は、５体積％以上３０体積％以下であり、
４，５−ジフルオロ−１，３−ジオキソラン−２−オンの体積は、０．０５体積％以上１０体積％以下である電解質である。
【手続補正８】
【補正対象書類名】明細書
【補正対象項目名】００１２
【補正方法】変更
【補正の内容】
【００１２】
第３の発明は、
正極および負極と、電解質と、を備えた電池であって、
電解質は、
エチレンカーボネート、プロピレンカーボネート、ブチレンカーボネート、γ−ブチロラクトン、γ−バレロラクトンのうちから選ばれた少なくとも１種よりなる第１の溶媒と、
ジエチルカーボネート、ジメチルカーボネート、エチルメチルカーボネートのうちから選ばれた少なくとも１種よりなる第２の溶媒と、
４，５−ジフルオロ−１，３−ジオキソラン−２−オンと、
を含み、
溶媒全体に対して、第１の溶媒の体積は、５体積％以上４０体積％以下であり、
４，５−ジフルオロ−１，３−ジオキソラン−２−オンの体積は、０．０５体積％以上２０体積％以下である電池である。
【手続補正９】
【補正対象書類名】明細書
【補正対象項目名】００１３
【補正方法】変更
【補正の内容】
【００１３】
第４の発明は、
正極および負極と、電解質と、を備え、
電解質は、
エチレンカーボネートよりなる第１の溶媒と、
ジエチルカーボネート、エチルメチルカーボネートのうちの少なくとも１種よりなる第２の溶媒と、
４，５−ジフルオロ−１，３−ジオキソラン−２−オンと、
を含み、
溶媒全体に対して、第１の溶媒の体積は、５体積％以上３０体積％以下であり、
４，５−ジフルオロ−１，３−ジオキソラン−２−オンの体積は、０．０５体積％以上１０体積％以下である電池である。
【手続補正１０】
【補正対象書類名】明細書
【補正対象項目名】００１５
【補正方法】変更
【補正の内容】
【００１５】
第２の発明では、エチレンカーボネートよりなる第１の溶媒と、ジエチルカーボネート、エチルメチルカーボネートのうちの少なくとも１種よりなる第２の溶媒と、４，５−ジフルオロ−１，３−ジオキソラン−２−オンと、を含み、溶媒全体に対して、第１の溶媒の体積は、５体積％以上３０体積％以下であり、４，５−ジフルオロ−１，３−ジオキソラン−２−オンの体積は、０．０５体積％以上１０体積％以下となるようにしたので、電池に用いた場合において、保存時の膨れを抑制できる。
【手続補正１１】
【補正対象書類名】明細書
【補正対象項目名】００１７
【補正方法】変更
【補正の内容】
【００１７】
第４の発明では、電解質として、エチレンカーボネートよりなる第１の溶媒と、ジエチルカーボネート、エチルメチルカーボネートのうちの少なくとも１種よりなる第２の溶媒と、４，５−ジフルオロ−１，３−ジオキソラン−２−オンと、を含み、溶媒全体に対して、第１の溶媒の体積は、５体積％以上３０体積％以下であり、４，５−ジフルオロ−１，３−ジオキソラン−２−オンの体積は、０．０５体積％以上１０体積％以下となるようにしたものを用いるので、電池において保存時の膨れを抑制できる。
【手続補正１２】
【補正対象書類名】明細書
【補正対象項目名】００１８
【補正方法】変更
【補正の内容】
【００１８】
この発明によれば、優れたサイクル特性および低温放電特性を得ることができる。また、電池において、保存時の膨れを抑制できる。
【手続補正１３】
【補正対象書類名】明細書
【補正対象項目名】００２１
【補正方法】変更
【補正の内容】
【００２１】
また、溶媒としては、第１の溶媒としてエチレンカーボネートと、第２の溶媒としてジエチルカーボネート、エチルメチルカーボネートのうちの少なくとも１種と、４，５−ジフルオロ−１，３−ジオキソラン−２−オンと、を含むものを用いることが好ましい。エチレンカーボネートよりなる第１の溶媒の体積は、溶媒全体に対して、５体積％以上３０体積％以下である。４，５−ジフルオロ−１，３−ジオキソラン−２−オンの体積は、０．０５体積％以上１０体積％以下である。このような溶媒を含む電解質は、高温環境下であっても化学安定性を向上でき、この溶媒を含む電解質を電池に用いた場合には、特に高温で保存した際に問題となる電池の膨れを抑制できる。また、溶媒としては、第１の溶媒として、エチレンカーボネートに加えて、さらにプロピレンカーボネート、ブチレンカーボネート、γ−ブチロラクトン、γ−バレロラクトンのうちの少なくとも１種を含んでいてもよい。より優れた電池膨れの抑制効果を得ることができるからである。
【手続補正１４】
【補正対象書類名】明細書
【補正対象項目名】００２２
【補正方法】変更
【補正の内容】
【００２２】
さらに、４，５−ジフルオロ−１，３−ジオキソラン−２−オンとしては、より優れた低温放電特性を得られる点から、シス体よりもトランス体が好ましい。さらに、電池に用いる場合には、４，５−ジフルオロ−１，３−ジオキソラン−２−オンのトランス体を用いることにより、より優れた電池膨れの抑制効果を得ることができるので好ましい。
【手続補正１５】
【補正対象書類名】明細書
【補正対象項目名】００２４
【補正方法】変更
【補正の内容】
【００２４】
さらに、この電解質を電池に用いる場合には、負極が構成元素としてケイ素（Ｓｉ）を含む材料またはリチウム金属を有するようにするのが好ましい。特に常温サイクル特性をより向上できるからである。また、この電解質を電池に用いる場合には、負極が構成元素としてケイ素（Ｓｉ）および（Ｓｎ）のうちの少なくとも１種を含む材料を有するようにするのがよりその効果を発揮できる点で好ましい。
【手続補正１６】
【補正対象書類名】明細書
【補正対象項目名】００２６
【補正方法】変更
【補正の内容】
【００２６】
さらに、溶媒としては、酸無水物をさらに含むものであることが好ましい。より優れたサイクル特性を得ることができるからである。酸無水物としては、例えば、無水コハク酸、無水グルタン酸、無水マレイン酸等が挙げられる。さらに、酸無水物の添加量としては、０．５重量％〜３重量％が好ましい。特に優れたサイクル特性を得ることができるからである。電池の溶媒として用いた場合には、酸無水物をさらに含むことで、高温保存時の電池膨れをより抑制できるので好ましい。
【手続補正１７】
【補正対象書類名】明細書
【補正対象項目名】００２７
【補正方法】変更
【補正の内容】
【００２７】
さらに、溶媒としては、例えばプロパンスルトン、プロペンスルトン、ジビニルスルホンなどのスルホン構造を有する化合物を含有することが好ましい。さらに、スルホン構造を有する化合物の含有量は、０．０１重量％〜５重量％の範囲内であることが好ましい。高温保存時の電池膨れをより抑制できるからである。
【手続補正１８】
【補正対象書類名】明細書
【補正対象項目名】００５８
【補正方法】変更
【補正の内容】
【００５８】
また、電池に用いる場合には、電解質塩としては、高温保存時の電池膨れをより抑制できるので、ＬｉＢＦ4を含むことがより好ましい。さらに、電池に用いる場合には、電解質塩としてＬｉＢＦ4を含み、さらに、例えばプロペンスルトン（ＰＲＳ）などのスルホン構造を有する化合物を含むことが特に好ましい。高温保存時の電池膨れを著しく抑制できるからである。
【手続補正１９】
【補正対象書類名】明細書
【補正対象項目名】０１００
【補正方法】変更
【補正の内容】
【０１００】
（電池の第２の例）
次に、電池の第２の例について説明する。図３は、電池の第２の例の一構成例を示す断面図である。この二次電池は、正極リード３１および負極リード３２が取り付けられた巻回電極体３０をフィルム状の外装部材４０の内部に収容したものであり、小型化、軽量化および薄型化が可能となっている。
【手続補正２０】
【補正対象書類名】明細書
【補正対象項目名】０３０４
【補正方法】変更
【補正の内容】
【０３０４】
以上、この発明を実施形態および実施例を挙げて説明したが、この発明は、上述した実施形態および実施例に限定されず、種々の変形が可能である。例えば、上述した実施形態および実施例では、巻回構造の二次電池を具体的に挙げて説明したが、この発明は、シート型あるいはカード型、または正極および負極を複数積層した積層構造を有する二次電池についても同様に適用することができる。また、この発明は、二次電池に限らず、一次電池などの他の電池についても同様に適用することができる。